(57)【要約】  本明細書中に記載されるのは、ミッドソール、ソールアセンブリ、ならびにウォーキングおよびランニング用のフットウェア用品フットウェアインサートである。ミッドソールは、３つのクッション部材を含む。ここで、ミッドソールの高さは、ゼロドロップ高さを提供する。ミッドソールアーキテクチャによって提供される動的な可変抵抗により、コンポーネントミッドソール部材の異なる密度および角度による性能向上が可能になり、その結果、着用者がウォーキングまたはランニング時において動き範囲全体において筋肉労力を一定として動くことが可能になり、特定の位置においては力が制限され筋肉から同一位置において爆発的で耐久性のある筋肉へと負荷をシフトさせている。
2018525112.tif 000002
【特許請求の範囲】
【請求項１】
ベース支持面を規定するミッドソールであって、ヒール領域、アーチ領域、ボール領域、爪先領域、前記爪先領域に隣接する前方部、前記ヒール領域に隣接する後方部、および前記爪先領域に隣接する前記前方部と前記ヒール領域に隣接する前記後方部との間に延びる長手方向軸を有し、
前記長手方向軸に沿って前記ヒール領域に隣接する前記後方部から前記ボール領域へ延びる第１のクッション部材と、
前記長手方向軸に沿って前記ヒール領域に隣接する前記後方部から前記爪先領域に隣接する前記前方部へ延びる第２のクッション部材と、
前記ヒール領域から前記爪先領域に隣接する前記前方部へ延びる第３のクッション部材と、
を含み、
前記ミッドソールは、ゼロドロップ高さを含む、
ミッドソール。
【請求項２】
前記第３のクッション部材は、前記第１のクッション部材よりも高弾性である、請求項１に記載のミッドソール。
【請求項３】
前記第１のクッション部材は、前記第２のクッション部材よりも高弾性である、請求項１に記載のミッドソール。
【請求項４】
前記第１のクッション部材１７のアスカーデュロメータは、約３０〜約７０である、請求項１に記載のミッドソール。
【請求項５】
前記第１のクッション部材１７のアスカーデュロメータは、約４０〜約５５である、請求項１に記載のミッドソール。
【請求項６】
前記第１のクッション部材１７のアスカーデュロメータは、約７０未満、約６５未満、約６０未満、約５５未満、約５０未満、約４５未満、約４０未満、または約３５未満である、請求項１に記載のミッドソール。
【請求項７】
前記第１のクッション部材１７のアスカーデュロメータは、少なくとも約３０、少なくとも約３５、少なくとも約４０、少なくとも約４５、少なくとも約５０、少なくとも約５５、少なくとも約６０、または少なくとも約６５である、請求項１に記載のミッドソール。
【請求項８】
前記第２のクッション部材１８のアスカーデュロメータは、約４０〜約９０である、請求項１に記載のミッドソール。
【請求項９】
前記第２のクッション部材１８のアスカーデュロメータは、約５０〜約６０である、請求項１に記載のミッドソール。
【請求項１０】
前記第２のクッション部材１８のアスカーデュロメータは、約９０未満、約８５未満、約８０未満、約７５未満、約７０未満、約６５未満、約６０未満、約５５未満、約５０未満、約４５未満である、請求項１に記載のミッドソール。
【請求項１１】
前記第２のクッション部材１８のアスカーデュロメータは、少なくとも約４０、少なくとも約４５、少なくとも約５０、少なくとも約５５、少なくとも約６０、少なくとも約６５、少なくとも約７０、少なくとも約７５、少なくとも約８０、または少なくとも約８５である、請求項１に記載のミッドソール。
【請求項１２】
前記第３のクッション部材１９のアスカーデュロメータは、約１５〜約６０である、請求項１に記載のミッドソール。
【請求項１３】
前記第３のクッション部材１９のアスカーデュロメータは、約２５〜約４０である、請求項１に記載のミッドソール。
【請求項１４】
前記第３のクッション部材１９のアスカーデュロメータは、約６０未満、約５５未満、約５０未満、約４５未満、約４０未満、約３５未満、約３０未満、約２５未満、または約２０未満である、請求項１に記載のミッドソール。
【請求項１５】
前記第３のクッション部材１９のアスカーデュロメータは、少なくとも約１５、少なくとも約２０、少なくとも約２５、少なくとも約３０、少なくとも約３５、少なくとも約４０、少なくとも約４５、少なくとも約５０、または少なくとも約５５である、請求項１に記載のミッドソール。
【請求項１６】
前記第１のクッション部材１７の第１の厚さは、前記長手方向軸に沿って前記ヒール領域に隣接する前記後方部から前記ボール領域へと減少する、請求項１に記載のミッドソール。
【請求項１７】
前記第２のクッション部材１８の第２の厚さは、前記長手方向軸に沿って前記ヒール領域に隣接する前記後方部から前記ヒール領域へと増加する、請求項１に記載のミッドソール。
【請求項１８】
前記第２のクッション部材１８の第３の厚さは、前記長手方向軸に沿って前記ヒール領域から前記爪先領域へと減少する、請求項１に記載のミッドソール。
【請求項１９】
前記第３のクッション部材１９の第４の厚さは、前記長手方向軸に沿って前記ヒール領域から前記ボール領域へと増加する、請求項１に記載のミッドソール。
【請求項２０】
前記第３のクッション部材１９の第４の厚さは、前記長手方向軸に沿って前記ヒール領域から前記爪先領域へと増加する、請求項１に記載のミッドソール。
【請求項２１】
前記第３のクッション部材１９の第５の厚さは、前記長手方向軸に沿って前記ボール領域から前記爪先領域へと低減する、請求項１に記載のミッドソール。
【請求項２２】
前記第１のクッション部材、第２のクッション部材および第３のクッション部材の合計厚さは、約５ｍｍ〜約２５ｍｍである、請求項１に記載のミッドソール。
【請求項２３】
前記第１のクッション部材、第２のクッション部材および第３のクッション部材の合計厚さは、約１８ｍｍ〜約２０ｍｍである、請求項１に記載のミッドソール。
【請求項２４】
前記第１のクッション部材、第２のクッション部材および第３のクッション部材の合計厚さは、約２４ｍｍ未満、約２３ｍｍ未満、約２２ｍｍ未満、約２１ｍｍ未満、約２０ｍｍ未満、約１９ｍｍ未満、約１８ｍｍ未満、約１７ｍｍ未満、約１６ｍｍ未満、約１５ｍｍ未満、約１４ｍｍ未満、約１３ｍｍ未満、約１２ｍｍ未満、約１１ｍｍ未満、約１０ｍｍ未満、約９ｍｍ未満、約８ｍｍ未満、約７ｍｍ未満、または約６ｍｍ未満である、請求項１に記載のミッドソール。
【請求項２５】
前記第１のクッション部材、第２のクッション部材および第３のクッション部材の合計厚さは、少なくとも約５ｍｍ、少なくとも約６ｍｍ、少なくとも約７ｍｍ、少なくとも約８ｍｍ、少なくとも約９ｍｍ、少なくとも約１０ｍｍ、少なくとも約１１ｍｍ、少なくとも約１２ｍｍ、少なくとも約１３ｍｍ、少なくとも約１４ｍｍ、少なくとも約１５ｍｍ、少なくとも約１６ｍｍ、少なくとも約１７ｍｍ、少なくとも約１８ｍｍ、少なくとも約１９ｍｍ、少なくとも約２０ｍｍ、少なくとも約２１ｍｍ、少なくとも約２２ｍｍ、少なくとも約２３ｍｍ、または少なくとも約２４ｍｍである、請求項１に記載のミッドソール。
【請求項２６】
前記第２のクッション部材１８は、約２度〜約１０度の鋭角３２を含む、請求項１に記載のミッドソール。
【請求項２７】
前記第２のクッション部材１８は、約５度の鋭角３２を含む、請求項１に記載のミッドソール。
【請求項２８】
前記第２のクッション部材１８は、少なくとも約２度、少なくとも約３度、少なくとも約４度、少なくとも約５度、少なくとも約６度、少なくとも約７度、少なくとも約８度、または少なくとも約９度の鋭角３２を含む、請求項１に記載のミッドソール。
【請求項２９】
前記第２のクッション部材１８は、約１０度未満、約９度未満、約８度未満、約７度未満、約６度未満、約５度未満、約４度未満、または約３度未満の鋭角３２を含む、請求項１に記載のミッドソール。
【請求項３０】
前記第１のクッション部材１７は、約１度〜約１０度の鋭角３０を含む、請求項１に記載のミッドソール。
【請求項３１】
前記第１のクッション部材１７は、約４度〜約６度の鋭角３０を含む、請求項１に記載のミッドソール。
【請求項３２】
前記第１のクッション部材１７は、約５度の鋭角３０を含む、請求項１に記載のミッドソール。
【請求項３３】
前記第１のクッション部材１７は、少なくとも約１度、少なくとも約２度、少なくとも約３度、少なくとも約４度、少なくとも約５度、少なくとも約６度、少なくとも約７度、少なくとも約８度、または少なくとも約９度の鋭角３０を含む、請求項１に記載のミッドソール。
【請求項３４】
前記第１のクッション部材１７は、約１０度未満、約９度未満の、約８度未満、約７度未満、約６度未満、約５度未満、約４度未満、約３度未満、または約２度未満の鋭角３０を含む、請求項１に記載のミッドソール。
【請求項３５】
前記第３のクッション部材１９は、約６度〜約１５度の鋭角３５を含む、請求項１に記載のミッドソール。
【請求項３６】
前記第３のクッション部材１９は、約１０度の鋭角３５を含む、請求項１に記載のミッドソール。
【請求項３７】
前記第３のクッション部材１９は、少なくとも約６度の鋭角３５、少なくとも約７度の鋭角３５、少なくとも約８度の鋭角３５、少なくとも約９度の鋭角３５、少なくとも約１０度の鋭角３５、少なくとも約１１度の鋭角３５、少なくとも約１２度の鋭角３５、少なくとも約１３度、または少なくとも約１４度の鋭角３５を含む、請求項１に記載のミッドソール。
【請求項３８】
前記第３のクッション部材１９は、約１５度未満の鋭角３５、約１４度未満の鋭角３５、約１３度未満の鋭角３５、約１２度未満の鋭角３５、約１１度未満の鋭角３５、約１０度未満の鋭角３５、約９度未満の鋭角３５、約８度未満５、または約７度未満の鋭角３５を含む、請求項１に記載のミッドソール。
【請求項３９】
前記第１のクッション部材１７は、前記第２のクッション部材１８の上部と少なくとも部分的に重なり合い、前記第２のクッション部材１８の上部に設けられる、請求項１に記載のミッドソール。
【請求項４０】
前記第２のクッション部材１８は、前記第３のクッション部材１９の上部と少なくとも部分的に重なり合い、前記第３のクッション部材１９の上部上に設けられる、請求項Ａ１〜Ａ３８に記載のミッドソール。
【請求項４１】
前記クッション部材のうち少なくとも１つは、楔形状を含む、請求項１に記載のミッドソール。
【請求項４２】
前記クッション部材のうち少なくとも１つは、泡状物質を含む、請求項１に記載のミッドソール。
【請求項４３】
前記クッション部材のうち少なくとも１つは、弾性変形可能なフォームを含む、請求項１に記載のミッドソール。
【請求項４４】
流体が充填されたブラダーをさらに含む、請求項１に記載のミッドソール。
【請求項４５】
前記クッション部材のうち少なくとも１つは取り外し可能である、請求項１に記載のミッドソール。
【請求項４６】
約０〜約４ｍｍのゼロドロップ高さを含む、請求項１に記載のミッドソール。
【請求項４７】
４ｍｍ以下、３ｍｍ以下、２ｍｍ以下または１ｍｍ以下のゼロドロップ高さを含む、請求項１に記載のミッドソール。
【請求項４８】
約０ｍｍのゼロドロップ高さを含む、請求項１に記載のミッドソール。
【請求項４９】
請求項１に記載のミッドソールおよびアウトソール２０を含む、ソールアセンブリ。
【請求項５０】
前記アウトソール２０は、高摩擦材料の１つ以上のピースを含む、請求項４９に記載のソールアセンブリ。
【請求項５１】
前記アウトソール２０は、１つ以上のゴムピースを含む、請求項５０に記載のソールアセンブリ。
【請求項５２】
前記アウトソール２０は、滑り摩擦の向上のための溝、サイプまたは他のフィーチャを含む、請求項４９に記載のソールアセンブリ。
【請求項５３】
インソールをさらに含む、請求項４９に記載のソールアセンブリ。
【請求項５４】
前記インソールは、フォーム材料を含む、請求項５３に記載のソールアセンブリ。
【請求項５５】
上側４０へ動作可能に接続された請求項４９に記載のソールアセンブリを含む、フットウェア用品。
【請求項５６】
前記第１のクッション部材１７は、着用者のヒールの支持を提供し得る、請求項５５に記載のフットウェア用品。
【請求項５７】
前記第１のクッション部材１７は、前記着用者のヒールのクッション機能を提供しつつ、前記着用者のアキレス腱を支持できるぐらい充分に押圧される。請求項５６に記載のフットウェア用品。
【請求項５８】
前記第２のクッション部材１８は、着用者の足のためのレバーとして機能する、請求項５５に記載のフットウェア用品。
【請求項５９】
クッション部材１８は、クッション部材１９と共に機能して、ランニングまたはウォーキングの爪先離れフェーズにおいてより有利な角度で前記着用者を前方動きにおいて駆動するバネ効果を生成する、請求項５５に記載のフットウェア用品。
【請求項６０】
前記第３のクッション部材１９は、着用者の足の支点として機能し得る、請求項５５に記載のフットウェア用品。
【請求項６１】
前記ミッドソールの前方部分は、概ね前方に減少する厚さの前部を構成し、前記フットウェアの前方終端へ向かって弧状に集合的にテーパー形状となる、請求項５５に記載のフットウェア用品。
【請求項６２】
靴、サンダルまたはブーツを含む、請求項５５に記載のフットウェア用品。
【請求項６３】
側壁安定性を増加させる構造を含む、請求項５５に記載のフットウェア用品。
【請求項６４】
前記構造は、側壁ストリップを含む、請求項５６に記載のフットウェア用品。
【請求項６５】
着用者の足１１を受容する孔を規定する１つ以上の相互接続されたパネルを含む、請求項５５に記載のフットウェア用品。
【請求項６６】
前記ヒールは、角縁部を含む、請求項５５に記載のフットウェア用品。
【請求項６７】
前記ヒールは、斜角が付けられた縁部を含む、請求項５５に記載のフットウェア用品。
【請求項６８】
請求項１に記載のミッドソールを含むフットウェアインサートであって、前記クッション部材のうち少なくとも２つが共に接合される、
フットウェアインサート。
【発明の詳細な説明】
【技術分野】
【０００１】
関連出願への相互参照
本出願は、米国仮特許出願シリアル番号第６２／２１０，５９６号（出願日：２０１５年８月２７日、タイトル：「ＭＩＤＳＯＬＥ，  ＳＯＬＥ  ＡＳＳＥＭＢＬＹ  ＡＮＤ  ＦＯＯＴＷＥＡＲ  ＦＯＲ  ＷＡＬＫＩＮＧ  ＡＮＤ  ＲＵＮＮＩＮＧ」、発明者：Ｃａｒｍｅｎ  Ｊａｃｋｉｎｓｋｙ、アトーニードケット番号５２８−００１０１．ＰＲＶ）への優先権の利益を主張する。同特許出願の内容全体は、全文、表および図面を含め、参照として本明細書に含まれる。
【０００２】
本開示は、フットウェア用品に関し、より詳細には、ウォーキングおよびランニング用の複数のクッション部材を備えたフットウェア用品のためのミッドソールおよびソールアセンブリに関連する。
【発明の背景】
【０００３】
アスリートの中には、走るのが好きな者もいれば、歩くのが好きな者もいる。これら２つの活動を組み合わせることが好きな者もいる。あるいは、これら２つの活動の組み合わせ（「ラン／ウォーク」またはラン／ウォーク／ランアプローチである「Ｇａｌｌａｇｈｅｒ  Ｍｅｔｈｏｄ」と呼ばれる）が好きな者もいる。ウォーキングおよびランニング活動は、どちらも閉じた連鎖の前方移動活動であり、そのそれぞれの足取りは異なるため、それぞれの必要性に応じた独自のフットウェアが発展している。例えば、ウォーキングをする人の場合、一歩踏み出す毎に地面と接触するが、ランニングをする人の場合、地面から足を蹴り出した後、それぞれの足が接触するに際し、ウォーキングをする人が経験するよりも大きな力で戻る。ウォーキングをする人およびランニングをする人は、足取りにおけるヒールフェーズ、ミッドフットフェーズおよび爪先離れフェーズにおいて力測定結果も異なる。ウォーキングをする人の場合、「ヒール爪先」足接地を支持するローヒールの靴が好まれるが、ランニングをする人の場合、アキレス腱の支持および地面への足接地時における足首の横方向安定性のために、よりヒールの高い靴が好まれる。高速でウォーキングをする人の場合、爪先を前方に蹴り出す際に最も大きな力がかかるため、爪先部分にクッション機能が必要になる。ランニングをする人の場合も、ミッドフットクッション機能を好むが、ヒールクッション機能については異なるパーセンテージが好まれる。現行のフットウェア用品の場合、ウォーキングとランニングとの間の好みのバランスをとることができていない。
【発明の概要】
【０００４】
本明細書において特定の実施形態において開示されるのは、ベース支持面を規定するミッドソールである。このミッドソールは、ヒール領域、アーチ領域、ボール領域、爪先領域、爪先領域に隣接する前方部位、ヒール領域に隣接する後方部位、および爪先領域に隣接する前方部位と、ヒール領域に隣接する後方部位との間に延びる長手方向軸を有する。このミッドソールは、記長手方向軸に沿ってヒール領域に隣接する後方部位からボール領域へ延びる第１のクッション部材と、長手方向軸に沿ってヒール領域に隣接する後方部位から爪先領域に隣接する前方部位へ延びる第２のクッション部材と、ヒール領域から爪先領域に隣接する前方部位へ延びる第３のクッション部材とを含む。ミッドソールの高さにより、ゼロドロップ高さが得られる。第３のクッション部材は、第１のクッション部材よりも高弾性であり得る。第１のクッション部材は、第２のクッション部材よりも高弾性であり得る。第１のクッション部材のアスカーデュロメータは、約３０〜約７０であり得る。第２のクッション部材１８のアスカーデュロメータは、約４０〜約９０であり得る。第３のクッション部材１９のアスカーデュロメータは、約１５〜約６０であり得る。
【０００５】
第１のクッション部材の第１の厚さは、長手方向軸に沿ってヒール領域に隣接する後方部位からボール領域へと低減し得る。第２のクッション部材の第２の厚さは、長手方向軸に沿ってヒール領域に隣接する後方部位からヒール領域へと増加し得る。第２のクッション部材の第３の厚さは、長手方向軸に沿ってヒール領域から爪先領域へと低下し得る。第３のクッション部材の第４の厚さは、長手方向軸に沿ってヒール領域からボール領域へまたは爪先領域へと増加し得る。第３のクッション部材の第５の厚さは、長手方向軸に沿ってボール領域から爪先領域へ低減し得る。第３のクッション部材は、足の支点として機能し得る。第１のクッション部材、第２のクッション部材および第３のクッション部材の合計厚さは、約５ｍｍ〜約２５ｍｍの合計厚さであり得る。第１のクッション部材１７は、約１度〜約１０度の鋭角３０を持ち得る。第３のクッション部材１９は、約６度〜約１５度の鋭角３５を持ち得る。第１のクッション部材１７は、少なくとも部分的に重なり得、第２のクッション部材１８の上部にあり得る。第２のクッション部材１８は、少なくとも部分的に重なり得、第３のクッション部材１９の上部にあり得る。クッション部材のうち少なくとも１つは、楔形状を持ち得る。クッション部材のうち少なくとも１つは、変形可能な泡状物質を含む。クッション部材のうち少なくとも１つは、取り外し可能であり得る。
【０００６】
ミッドソールのゼロドロップ高さは、約０〜約４ｍｍであり得る。
【０００７】
本明細書中、フットウェアインサートも記載される。このフットウェアインサートは、上記のミッドソール実施形態のいずれかを含み、クッション部材のうち少なくとも２つは、共に接合される。
【０００８】
本明細書中、ソールアセンブリも記載される。このソールアセンブリは、上記実施形態のいずれかに記載のミッドソールと、アウトソールとを含む。アウトソールは、ゴムなどの高摩擦材料を含み得、溝またはサイプを含み得る。
【０００９】
本明細書中、ソールアセンブリも記載される。このソールアセンブリは、フォームであり得るインソールを含む
【００１０】
本明細書中、フットウェア用品も記載される。このフットウェア用品は、上記の実施形態による上側およびソールアセンブリを含む。このようなフットウェアは、靴、サンダルまたはブーツを含む。
【００１１】
特定の実施形態について、以下の説明、例、特許請求の範囲および図面中にさらに説明する。
【図面の簡単な説明】
【００１２】
図面は、本技術の特定の実施形態を示し、非限定的なものである。明確さおよび容易な例示のため、図面は縮尺通りではなく、場合によっては、特定の実施形態の理解を深めるために多様な特徴を誇張または拡大して図示する場合がある。
【００１３】
【図１】図１は、ミッドソールの断面図である。
【図２】図２は、ミッドソールを備えたフットウェア用品の断面図である。
【発明の詳細な説明】
【００１４】
本明細書中記載されるのは、ミッドソール、ミッドソールを含むフットウェアインサート、ミッドソールを含むソールアセンブリおよびいずれの活動性も妨げることのない、ウォーキングまたはランニングに適したミッドソールを含むフットウェア用品である。ミッドソールは、ゼロドロップ高さを提供する。本明細書中用いられるように、「ゼロドロップの」靴とは、ヒールから爪先までの高さの差を指す。理論に拠ることを望むわけではないが、ヒール部分材料は、衝撃を受けた際に押圧されるため、ランニングをする人に対して適切に支持およびクッション機能を提供することを可能としつつ、前方モメンタムを開始するためのレバーをウォーキングをする人のために生成する。
【００１５】
理論に拠ることを望むわけではないが、開示のミッドソールアーキテクチャは、異なる密度および角度のコンポーネントミッドソール部材を用いることにより性能を向上する動的な可変抵抗を提供し、着用者のウォーキングまたはランニングの間の全動作範囲で、筋肉の活動を一定に維持して運動することを可能としつつ、特定の位置において力が制限される筋肉から、同一の位置におけるより爆発的かつ耐久性のある筋肉へと負荷をシフトさせる。
【００１６】
図１を参照して、本開示の多様な例示的実施形態によるミッドソール１０が図示される。このミッドソールにより、足１１のベース支持面が規定される。特定の実施形態において、ミッドソールは、ヒール領域１１、アーチ領域１２、ボール領域１３および爪先領域１４を含む。これらの領域は、足ソールアセンブリ上に足が静置された際の足の構造にほぼ対応する。ミッドソールは、爪先領域に隣接する前方部位１５と、ヒール領域に隣接する後方部位１６と、爪先領域に隣接する前方部位１５およびヒール領域に隣接する後方部位１６間に延びる長手方向軸とを含み得る。ミッドソール１０は、少なくとも３つのクッション部材を含み得る。第１のクッション部材１７は、長手方向軸に沿ってヒール領域に隣接する後方部位１６周囲から略ボール領域１３へ延び得る。第２のクッション部材１８は、長手方向軸に沿ってヒール領域に隣接する後方部位１６周囲から爪先領域に隣接する前方部位１５周囲へ延び得る。第３のクッション部材１９は、ヒール領域１１周囲から爪先領域に隣接する前方部位１５へ周囲へ延び得る。ヒールから爪先に向かって高さの差が１２〜１５ミリメートル（ｍｍ）ある従来の靴と異なり、ゼロドロップミッドソールは、ヒールから爪先への高さの差が約０〜４ｍｍである。いくつかの実施形態において、ヒールから爪先への差は４ｍｍ以下、３ｍｍ以下、２ｍｍ以下、１ｍｍ以下またはおよそゼロｍｍである。
【００１７】
第３のクッション部材１９は、第１のクッション部材１７よりも高弾性であり得る。第１のクッション部材１７は、第２のクッション部材１８よりも高弾性であり得る。よって、第３のクッション部材１９は、第２のクッション部材１８よりもより容易に弾性変形することができる。
【００１８】
第１のクッション部材１７のアスカーデュロメータは、約３０〜約７０であり得る。本明細書において提供される全てのアスカーデュロメータ測定は、Ｃ型アスカーデュロメータに関連する。第１のクッション部材１７のアスカーデュロメータは、約４０〜約５５であり得る。第１のクッション部材１７のアスカーデュロメータは、約７０未満、約６５未満、約６０未満、約５５未満、約５０未満、約４５未満、約４０未満、または約３５未満であり得る。第１のクッション部材のアスカーデュロメータは、少なくとも約３０、少なくとも約３５、少なくとも約４０、少なくとも約４５、少なくとも約５０、少なくとも約５５、少なくとも約６０、または少なくとも約６５であり得る。
【００１９】
第２のクッション部材１８のアスカーデュロメータは、約４０〜約９０であり得る。第２のクッション部材１８のアスカーデュロメータは、約５０〜約６０であり得る。第２のクッション部材１８のアスカーデュロメータは、約９０未満、約８５未満、約８０未満、約７５未満、約７０未満、約６５未満、約６０未満、約５５未満、約５０未満、または約４５未満であり得る。第２のクッション部材１８のアスカーデュロメータは、少なくとも約４０、少なくとも約４５、少なくとも約５０、少なくとも約５５、少なくとも約６０、少なくとも約６５、少なくとも約７０、少なくとも約７５、少なくとも約８０、または少なくとも約８５であり得る。
【００２０】
第３のクッション部材１９のアスカーデュロメータは、約１５〜約６０であり得る。第３のクッション部材１９のアスカーデュロメータは、約２５〜約４０であり得る。第３のクッション部材１９のアスカーデュロメータは、約６０未満、約５５未満、約５０未満、約４５未満、約４０未満、約３５未満、約３０未満、約２５未満、または約２０未満であり得る。第３のクッション部材１９のアスカーデュロメータは、少なくとも約１５、少なくとも約２０、少なくとも約２５、少なくとも約３０、少なくとも約３５、少なくとも約４０、少なくとも約４５、少なくとも約５０、または少なくとも約５５であり得る。
【００２１】
クッション部材は、長手方向軸に沿った厚さ勾配を持ち得る。第１のクッション部材１７ｃの第１の厚さは、長手方向軸に沿ってヒール領域に隣接する後方部位１６からボール領域１３へ低減し得る。第２のクッション部材１８の第２の厚さは、ヒール領域に隣接する後方部位１６からヒール領域１１へと増加し得る。第２のクッション部材１８の第３の厚さは、長手方向軸に沿ってヒール領域１１から爪先領域１４へと増加し得る。第３のクッション部材１９の第４の厚さは、長手方向軸に沿ってヒール領域１１からボール領域１３へまたは爪先領域１２へと増加し得る。第３のクッション機能１９部材の第５の厚さは、長手方向軸に沿ってボール領域１３から爪先領域１４へ増加し得る。
【００２２】
いくつかの実施形態において、第１のクッション部材１７、第２のクッション部材１８および第３のクッション部材１９それぞれの合計厚さＴは、約５ｍｍ〜約２５ｍｍである。適切な実施形態において、合計厚さＴは、約１８ｍｍ〜約２２ｍｍであり得る。適切な実施形態において、合計厚さＴは、約２０ｍｍであり得る。合計厚さＴは、少なくとも約５ｍｍ、少なくとも約６ｍｍ、少なくとも約７ｍｍ、少なくとも約８ｍｍ、少なくとも約９ｍｍ、少なくとも約１０ｍｍ、少なくとも約１１ｍｍ、少なくとも約１２ｍｍ、少なくとも約１３ｍｍ、少なくとも約１４ｍｍ、少なくとも約１５ｍｍ、少なくとも約１６ｍｍ、少なくとも約１７ｍｍ、少なくとも約１８ｍｍ、少なくとも約１９ｍｍ、少なくとも約２０ｍｍ、少なくとも約２１ｍｍ、少なくとも約２２ｍｍ、少なくとも約２３ｍｍ、または少なくとも約２４ｍｍであり得る。合計厚さＴは、約２４ｍｍ未満、約２３ｍｍ未満、約２２ｍｍ未満、約２１ｍｍ未満、約２０ｍｍ未満、約１９ｍｍ未満、約１８ｍｍ未満、約１７ｍｍ未満、約１６ｍｍ未満、約１５ｍｍ未満、約１４ｍｍ未満、約１３ｍｍ未満、約１２ｍｍ未満、約１１ｍｍ未満、約１０ｍｍ未満、約９ｍｍ未満、約８ｍｍ未満、約７ｍｍ未満、または約６ｍｍ未満であり得る。
【００２３】
クッション部材１７、１８、１９は、断面から見たときに鋭角を持つことにより、特徴付けられ得る（図２）。第１のクッション部材１７は、約１度〜約１０度の鋭角３０を持ち得る。第１のクッション部材１７は、約４度〜約６度の鋭角を持ち得る。第１のクッション部材１７は、約５度の鋭角を持ち得る。第１のクッション部材１７は、少なくとも約１度の鋭角、少なくとも約２度の鋭角、少なくとも約３度の鋭角、少なくとも約４度の鋭角、少なくとも約５度の鋭角、少なくとも約６度の鋭角、少なくとも約７度の鋭角、少なくとも約８度の鋭角、または少なくとも約９度の鋭角を持ち得る。第１のクッション部材１７は、約１０度未満の鋭角、約９度度未満の鋭角、約８度度未満の鋭角、約７度度未満の鋭角、約６度度未満の鋭角、約５度度未満の鋭角、約４度度未満の鋭角、約３度度未満の鋭角、または約２度度未満の鋭角を持ち得る。鋭角３２は、約２度〜約１０度の第１のクッション部材のトップエッジおよび第２のクッション部材のボトムエッジ（図２を参照）によって規定され得る。第２のクッション部材１８の鋭角は、約５度であり得る。第２のクッション部材１８の鋭角は、少なくとも２度、少なくとも３度、少なくとも４度、少なくとも５度、少なくとも６度、少なくとも７度、少なくとも８度または少なくとも９度であり得る。第２のクッション部材１８の鋭角は、約１０度未満、約９度未満、約８度未満、約７度未満、約６度未満、約５度未満、約４度未満、または約３度未満であり得る。第３のクッション部材１９の鋭角３５は、約６度〜約１５度であり得る。第３のクッション部材１９の鋭角３５は、約１０度であり得る。第３のクッション部材１９の鋭角３５は、約１４度であり得る。第３のクッション部材１９の鋭角３５は、少なくとも約６度、少なくとも約７度、少なくとも約８度、少なくとも約９度、少なくとも約１０度、少なくとも約１１度、少なくとも約１２度、少なくとも約１３度または少なくとも約１４度であり得る。第３のクッション部材１９の鋭角３５は、約１５度未満、約１４度未満、約１３度未満、約１２度未満、約１１度未満、約１０度未満、約９度未満、約８度未満、または約７度未満であり得る。第２のクッション部材１８の鋭角は、これらの鋭角と、第１のクッション部材および第３のクッション部材（図２を参照）の相対厚さおよびミッドソールのゼロドロップ高さにより、規定され得る。
【００２４】
第１のクッション部材１７は、着用者のヒールのサポートとして機能し得る。接触時において、第１のクッション部材１７は、着用者のヒールのクッション機能を提供しつつ、着用者のアキレス腱を支持できるほど充分に押圧する。この材料は、ウォーキングをする人の接触時における足取りのための低角の足姿勢を生成できるくらいの充分な押圧を提供する弾性特性も持ち得る。
【００２５】
第２のクッション部材１８は、足のレバーとして機能し得る。着用者の足が下るようにシフトすると、ミッドソールも同様にシフトして、その動きを支持する。この材料は最小の弾性を持ち得るため、着用者の足と地面との間の反応時間を短縮することができる。クッション部材１８の弾性は、重い物体を旋回させるために長尺レバーが用いられるのと同じ様態で、前方に駆動するために着用者が用いる足の領域をより広くすることができる。その結果、足が各歩幅において必要とする力が減少する。材料の密度により、横方向安定性がさらに増し、足のボール領域の負荷分散も均等になる。適切な実施形態において、クッション部材１８は、クッション部材１９と共に機能して、ランニングまたはウォーキングの爪先離れフェーズにおいて着用者の前方動きをより有利な角度で駆動するバネ効果が得られる。
【００２６】
第３のクッション部材１９は、足の支点として機能し得る。ミッドソール１０は、Ｊａｃｋｉｎｓｋｙへ付与された米国特許第５，５９２，７５７号（本明細書中、同文献を参考のため援用する）に開示のように、着用者の足のボールの概して下方に支点または旋回軸を規定し得、足の立った配置から押し上げられた配置への前方回転を適合化させる。
【００２７】
第１、第２および第３のクッション部材１７、１８、１９は、それぞれ、任意の適切な材料（例えば、弾性変形可能なフォーム）によって構成され得、任意の適切な形状（例えば、相互に重複する各楔形状）で形成され得る。いくつかの実施形態において、フォームは、例えば、エチレン酢酸ビニルコポリマー（ＥＶＡ）といった熱可塑性合成樹脂フォーム、例えば、ポリウレタン（ＰＵ）といった熱硬化性樹脂フォーム、または例えば、ブタジエンまたはクロロプレンゴムといったゴム材料フォームであり得る。さらに、いくつかの実施形態において、ミッドソール１０は、クッション付きサポートを提供するために流体が充填されたブラダー（図示せず）を含み得る。
【００２８】
ミッドソール１０は、フットウェアインサートとして用いられ得、クッションのうち少なくとも２つは接合されて、ユーザがインサートを収容し得るフットウェア用品中にインサートを配置することを可能にする。いくつかの実施形態において、ミッドソールの全部品は接合される。クッションは、耐水接着剤または他の適切な接合材料を用いて共に接合され得る。他の実施形態において、ミッドソール１０は、靴の独自の外形を規定する標準インソール（図示せず）およびアウトソール２０と組み合わせて用いられ得る。ヒール領域、アーチ領域、ボール領域および爪先領域は通常、インソールからアウトソール２０へ延びる。前方部分のうちいくつか（例えば、靴の前方に最も近いもの）（図１の実施形態の１５）は、アウトソール２０の領域からアウトソール２０の別の領域へ延び得、末端前方部分（例えば、１５）は、典型的にはアウトソール２０に相対して相並んで配置される。ミッドソール１０の外形は、靴の幅にわたって概して一貫しており、ゼロドロップであり得る厚さによって特徴付けられる。ソールの厚さは、前方方向において足のボールの下側のソール部分からソールの前方終端へ弧状に低減する。
【００２９】
図１に示すように、ヒール領域は、クッション部材１７および１８を含み得る。いくつかの実施形態において、ヒール領域は、単一の一体部分であってもよいし、あるいは、ヒール領域をさらなる部分にさらに分割してもよい。
【００３０】
靴の前方部分が構成する前部位は、概して前方に低減する厚さであり、靴の前方終端へ向かって弧状に集合的にテーパー形状となる。このような配置構成により、動的なミッドソールがクッション部材１８と共に得られ、着用者の足姿勢が前方位置へ旋回すると、有効な筋肉力がより大きくなり、その結果、押圧力がより大きくなる。第３のクッション部材１９の密度により得られる弾性により、爪先離れにおける足の抵抗力低下を生成するだけの充分な押圧が得られ、これにより摩擦が低下する。摩擦の低下は、着用者が歩幅頻度およびよって速度を増加させる能力を生成する。
【００３１】
図１に示すように、ミッドソールの前部は単一の密度を含むが、ミッドソールの前部が複数の密度を持つ構成も、本発明の範囲内である。いくつかの実施形態において、内部において密度勾配を有する単一の前方部分が、単独でまたは他の前方部分と共に用いられ得る。図１において、地面に対して斜め配置にある前方部分が相並んで示される。弧状の拡張は、足のボールの概して下側にある第２の負荷支持領域と、ミッドソールの前方終端との間に延びる。このようにして、ミッドソールは、着用者の足のボールの概して下側の支点または旋回軸を規定し、本明細書に参照として含まれるＪａｃｋｉｎｓｋｙへ付与された米国特許第５，５９２，７５７号に開示のように、立った配置（図１に図示）からの蹴り出しへと足の回転を適合化させる。弧状の拡張は、ウォーキング時に蹴り出しする際に用いられる足の部位の下側にある。
【００３２】
多様な実施形態において、ソールアセンブリは、上記に開示するようなミッドソール１０と、アウトソール２０とを含み得る。
【００３３】
多様な実施形態において、ソールアセンブリは、インソール（図示せず）をさらに含み得る。このインソールは、実質的に平坦かつ肉薄であり、着用者の足１１の下側部に実質的に適合して、クッション機能およびアーチ支持を提供する。インソールは、例えば、肉薄のフォーム材料といった任意の適切な材料によって構成され得る。
【００３４】
図２を参照して、本開示の多様な例示的実施形態によるフットウェア用品２０が図示される。フットウェア２０の用品は、着用者の足２１の周囲に適合し、支持し得る（仮想線において図示）。フットウェア２０の用品は、前方部２２および後方部２４を規定し得る。また、フットウェア２０は、前方部、後方部２２、２４との間に延びる長手方向軸Ｘを持ち得る。図示のように、フットウェア２０は、靴（例えば、競技用靴）であり得るが、フットウェア２０は、本開示の開示から逸脱することなく靴以外の任意の適切な種類の靴、例えば、サンダル、ブーツであってもよいことが理解されるべきである。いくつかの実施形態において、フットウェアの用品のヒールは、ヒールの後方部へ延びて、角縁部を生成する。いくつかの実施形態において、ヒールに斜角が付けられて、曲線状縁部を生成する。
【００３５】
ソールアセンブリ（図示せず）は、アウトソール２０およびミッドソール１０を概して含む。アウトソール２０およびミッドソール１０はどちらも、上側４０へ動作可能に接続され得る。より詳細には、ミッドソール１０は、アウトソール２０と、上側４０との間に配置され得る。一般的に、アウトソール２０は、例えばゴムといった高摩擦材料の１つ以上のピースを含み得、多様な溝、サイプまたはフットウェア２０の粘着摩擦を向上させるための他のフィーチャを含み得る。
【００３６】
いくつかの実施形態において、クッション部材１７、１８、１９は、取り外し可能であり得、フットウェア２０のその他の部分に対して交換可能であり得る。例えば、着用者は、クッション部材１７、１８、１９のうち１つ、２つまたは全てを多様な理由のため（例えば、クッション部材（単数または複数）１７、１８、１９の剛性または弾性を変化させるため）に除去および交換し得る。よって、フットウェア２０は、モジュール式であり得、着用者の所望に応じて適合可能であり得る。
【００３７】
フットウェア用品は、側壁ストリップの追加により例えば横方向安定性を増加させるための構造を含み得る。横方向安定性増加のための他の構造が、当業者に公知である。
［００３９］上側４０は、着用者の足１１を受容する穴を規定するように相互接続された１つ以上のパネルを含み得る。また、上側４０は、ひも、バックル、パイルテープまたは他の適切な種類の上側４０を足１１へ固定する手段を含み得る。
【００３８】
以下、例示的実施形態について記載する。
Ａ１．ベース支持面を規定するミッドソールであって、ヒール領域、アーチ領域、ボール領域、爪先領域、爪先領域に隣接する前方部、ヒール領域に隣接する後方部、ならびに爪先領域に隣接する前方部およびヒール領域に隣接する後方部間に延びる長手方向軸を有し、
長手方向軸に沿ってヒール領域に隣接する後方部位からボール領域へ延びる第１のクッション部材と、
長手方向軸に沿ってヒール領域に隣接する後方部位から爪先領域に隣接する前方部位へ延びる第２のクッション部材と、
ヒール領域から爪先領域に隣接する前方部位へ延びる第３のクッション部材であって、ミッドソールは、ゼロドロップ高さを含む、第３のクッション部材と、
を含む、ミッドソール。
Ａ２．実施形態Ａ１に記載のミッドソールにおいて、第３のクッション部材は、第１のクッション部材よりも高弾性である。
Ａ３．実施形態Ａ１〜Ａ２のいずれかに記載のミッドソールにおいて、第１のクッション部材は、第２のクッション部材よりも高弾性である。
Ａ４．実施形態Ａ１〜Ａ３のいずれかに記載のミッドソールにおいて、第１のクッション部材１７のアスカーデュロメータは、約３０〜約７０である。
Ａ５．実施形態Ａ１〜Ａ３のいずれかに記載のミッドソールにおいて、第１のクッション部材１７のアスカーデュロメータは、約４０〜約５５である。
Ａ６．実施形態Ａ１〜Ａ３のいずれかに記載のミッドソールにおいて、第１のクッション部材１７のアスカーデュロメータは、約７０未満、約６５未満、約６０未満、約５５未満、約５０未満、約４５未満、約４０未満、または約３５未満である。
Ａ７．実施形態Ａ１〜Ａ３のいずれかに記載のミッドソールにおいて、第１のクッション部材１７のアスカーデュロメータは、少なくとも約３０、少なくとも約３５、少なくとも約４０、少なくとも約４５、少なくとも約５０、少なくとも約５５、少なくとも約６０、または少なくとも約６５である。
Ａ８．実施形態Ａ１〜Ａ７のいずれかに記載のミッドソールにおいて、第２のクッション部材１８のアスカーデュロメータは、約４０〜約９０である。
Ａ９．実施形態Ａ１〜Ａ７のいずれかに記載のミッドソールにおいて、第２のクッション部材１８のアスカーデュロメータは、約５０〜約６０である。
Ａ１０．実施形態Ａ１〜Ａ７のいずれかに記載のミッドソールにおいて、第２のクッション部材１８のアスカーデュロメータは、約９０未満、約８５未満、約８０未満、約７５未満、約７０未満、約６５未満、約６０未満、約５５未満、約５０未満、約４５未満である。
Ａ１１．実施形態Ａ１〜Ａ７のいずれかに記載のミッドソールにおいて、第２のクッション部材１８のアスカーデュロメータは、少なくとも約４０、少なくとも約４５、少なくとも約５０、少なくとも約５５、少なくとも約６０、少なくとも約６５、少なくとも約７０、少なくとも約７５、少なくとも約８０、または少なくとも約８５である。
Ａ１２．実施形態Ａ１〜Ａ１１のいずれかに記載のミッドソールにおいて、第３のクッション部材１９のアスカーデュロメータは、約１５〜約６０である。
Ａ１３．実施形態Ａ１〜Ａ１１のいずれかに記載のミッドソールにおいて、第３のクッション部材１９のアスカーデュロメータは、約２５〜約４０である。
Ａ１４．実施形態Ａ１〜Ａ１１のいずれかに記載のミッドソールにおいて、第３のクッション部材１９のアスカーデュロメータは、約６０未満、約５５未満、約５０未満、約４５未満、約４０未満、約３５未満、約３０未満、約２５未満、または約２０未満である。
Ａ１５．実施形態Ａ１〜Ａ１１のいずれかに記載のミッドソールにおいて、第３のクッション部材１９のアスカーデュロメータは、少なくとも約１５、少なくとも約２０、少なくとも約２５、少なくとも約３０、少なくとも約３５、少なくとも約４０、少なくとも約４５、少なくとも約５０、または少なくとも約５５である。
Ａ１６．実施形態Ａ１〜Ａ１５のいずれかに記載のミッドソールにおいて、第１のクッション部材１７の第１の厚さは、長手方向軸に沿ってヒール領域に隣接する後方部からアーチ領域へと減少する。
Ａ１７．実施形態Ａ１〜Ａ１６のいずれかに記載のミッドソールにおいて、第２のクッション部材１８の第２の厚さは、長手方向軸に沿ってヒール領域に隣接する後方部からヒール領域へと増加する。
Ａ１８．実施形態Ａ１〜Ａ１７のいずれかに記載のミッドソールにおいて、第２のクッション部材１８の第３の厚さは、長手方向軸に沿ってヒール領域から爪先領域へと減少する。
Ａ１９．実施形態Ａ１〜Ａ１８のいずれかに記載のミッドソールにおいて、第３のクッション部材１９の第４の厚さは、長手方向軸に沿ってヒール領域からボール領域へと増加する。
Ａ２０．実施形態Ａ１〜Ａ１８のいずれかに記載のミッドソールにおいて、第３のクッション部材１９の第４の厚さは、長手方向軸に沿ってヒール領域から爪先領域へと増加する。
Ａ２１．実施形態Ａ１〜Ａ１９のいずれかに記載のミッドソールにおいて、第３のクッション部材１９の第５の厚さは、長手方向軸に沿ってボール領域から爪先領域へと低減する。
Ａ２２．実施形態Ａ１〜Ａ２１のいずれかに記載のミッドソールにおいて、第１のクッション部材、第２のクッション部材および第３のクッション部材の合計厚さは約５ｍｍ〜約２５ｍｍである。
Ａ２３．実施形態Ａ１〜Ａ２１のいずれかに記載のミッドソールにおいて、第１のクッション部材、第２のクッション部材および第３のクッション部材の合計厚さは、約１８ｍｍ〜約２０ｍｍである。
Ａ２４．実施形態Ａ１〜Ａ２１のいずれかに記載のミッドソールにおいて、第１のクッション部材、第２のクッション部材および第３のクッション部材の合計厚さは、約２４ｍｍ未満、約２３ｍｍ未満、約２２ｍｍ未満、約２１ｍｍ未満、約２０ｍｍ未満、約１９ｍｍ未満、約１８ｍｍ未満、約１７ｍｍ未満、約１６ｍｍ未満、約１５ｍｍ未満、約１４ｍｍ未満、約１３ｍｍ未満、約１２ｍｍ未満、約１１ｍｍ未満、約１０ｍｍ未満、約９ｍｍ未満、約８ｍｍ未満、約７ｍｍ未満、または約６ｍｍ未満である。
Ａ２５．実施形態Ａ１〜Ａ２１のいずれかに記載のミッドソールにおいて、第１のクッション部材、第２のクッション部材および第３のクッション部材の合計厚さは、少なくとも約５ｍｍ、少なくとも約６ｍｍ、少なくとも約７ｍｍ、少なくとも約８ｍｍ、少なくとも約９ｍｍ、少なくとも約１０ｍｍ、少なくとも約１１ｍｍ、少なくとも約１２ｍｍ、少なくとも約１３ｍｍ、少なくとも約１４ｍｍ、少なくとも約１５ｍｍ、少なくとも約１６ｍｍ、少なくとも約１７ｍｍ、少なくとも約１８ｍｍ、少なくとも約１９ｍｍ、少なくとも約２０ｍｍ、少なくとも約２１ｍｍ、少なくとも約２２ｍｍ、少なくとも約２３ｍｍ、または少なくとも約２４ｍｍである。
Ａ２６．実施形態Ａ１〜Ａ２５のいずれかに記載のミッドソールにおいて、第２のクッション部材１８は、約２度〜約１０度の鋭角３２を含む。
Ａ２７．実施形態Ａ１〜Ａ２５のいずれかに記載のミッドソールにおいて、第２のクッション部材１８は、約５度の鋭角３２を含む。
Ａ２８．実施形態Ａ１〜Ａ２５のいずれかに記載のミッドソールにおいて、第２のクッション部材１８は、少なくとも約２度の鋭角３２、少なくとも約３度の鋭角３２、少なくとも約４度の鋭角３２、少なくとも約５度の鋭角３２、少なくとも約６度の鋭角３２、少なくとも約７度の鋭角３２、少なくとも約８度の鋭角３２、または少なくとも約９度の鋭角３２を含む。
Ａ２９．実施形態Ａ１〜Ａ２５のいずれかに記載のミッドソールにおいて、第２のクッション部材１８は、約１０度未満の鋭角３２、約９度未満の鋭角３２、約８度未満の鋭角３２、約７度未満の鋭角３２、約６度未満の鋭角３２、約５度未満の鋭角３２、約４度未満の鋭角３２、または約３度未満の鋭角３２を含む。
Ａ３０．実施形態Ａ１〜Ａ２９のいずれかに記載のミッドソールにおいて、第１のクッション部材１７は、約１度〜約１０度の鋭角３０を含む。
Ａ３１．実施形態Ａ１〜Ａ２９のいずれかに記載のミッドソールにおいて、第１のクッション部材１７は、約４度〜約６度の鋭角３０を含む。
Ａ３２．実施形態Ａ１〜Ａ２９のいずれかに記載のミッドソールにおいて、第１のクッション部材１７は、約５度の鋭角３０を含む。
Ａ３３．実施形態Ａ１〜Ａ２９のいずれかに記載のミッドソールにおいて、第１のクッション部材１７は、少なくとも約１度の鋭角３０、少なくとも約２度の鋭角３０、少なくとも約３度の鋭角３０、少なくとも約４度の鋭角３０、少なくとも約５度の鋭角３０、少なくとも約６度の鋭角３０、少なくとも約７度の鋭角３０、少なくとも約８度の鋭角３０、または少なくとも約９度の鋭角３０を含む。
Ａ３４．第１のクッション部材１７は、約１０度の鋭角３０、約９度の鋭角３０、約８度の鋭角３０、約７度の鋭角３０、約６度の鋭角３０、約５度の鋭角３０、約４度の鋭角３０、約３度の鋭角３０、または約２度の鋭角３０を含む。
Ａ３５．実施形態Ａ１〜Ａ３４のいずれかに記載のミッドソールにおいて、第３のクッション部材１９は、約６度〜約１５度の鋭角３５を含む。
Ａ３６．実施形態Ａ１〜Ａ３４のいずれかに記載のミッドソールにおいて、第３のクッション部材１９は、約１０度の鋭角３５を含む。
Ａ３７．実施形態Ａ１〜Ａ３４のいずれかに記載のミッドソールにおいて、第３のクッション部材１９は、少なくとも約６度の鋭角３５、少なくとも約７度の鋭角３５、少なくとも約８度の鋭角３５、少なくとも約９度の鋭角３５、少なくとも約１０度の鋭角３５、少なくとも約１１度の鋭角３５、少なくとも約１２度の鋭角３５、少なくとも約１３度の鋭角３５、または少なくとも約１４度の鋭角３５を含む。
Ａ３８．実施形態Ａ１〜Ａ３４のいずれかに記載のミッドソールにおいて、第３のクッション部材１９は、約１５度未満の鋭角３５、約１４度未満の鋭角３５、約１３度未満の鋭角３５、約１２度未満の鋭角３５、約１１度未満の鋭角３５、約１０度未満の鋭角３５、約９度未満の鋭角３５、約８度未満の鋭角３５、または約７度未満の鋭角３５を含む。
Ａ３９．実施形態Ａ１〜Ａ３８のいずれかに記載のミッドソールにおいて、第１のクッション部材１７は、第２のクッション部材１８の上部と少なくとも部分的に重なり合い、第２のクッション部材１８の上部に設けられる。
Ａ４０．実施形態Ａ１〜Ａ３８のいずれかに記載のミッドソールにおいて、第２のクッション部材１８は、第３のクッション部材１９の上部と少なくとも部分的に重なり合い、第３のクッション部材１９の上部に設けられる。
Ａ４１．実施形態Ａ１〜Ａ４０のいずれかに記載のミッドソールにおいて、クッション部材のうち少なくとも１つは、楔形状を含む。
Ａ４２．実施形態Ａ１〜Ａ４１のいずれかに記載のミッドソールにおいて、クッション部材のうち少なくとも１つは、フォームを含む。
Ａ４３．実施形態Ａ１〜Ａ４１のいずれかに記載のミッドソールにおいて、クッション部材のうち少なくとも１つは、弾性変形可能な泡状物質を含む。
Ａ４４．実施形態Ａ１〜Ａ４３のいずれかに記載のミッドソールにおいて、流体が充填されたブラダーをさらに含む。
Ａ４５．実施形態Ａ１〜Ａ４４のいずれかに記載のミッドソールにおいて、クッション部材のうち少なくとも１つは取り外し可能である。
Ａ４６．実施形態Ａ１〜Ａ４５のいずれかに記載のミッドソールにおいて、約０〜約４ｍｍのゼロドロップ高さを含む。
Ａ４７．実施形態Ａ１〜Ａ４５のいずれかに記載のミッドソールにおいて、以下、３ｍｍ以下、２ｍｍ以下または１ｍｍ以下のゼロドロップ高さを含む。
Ａ４８．実施形態Ａ１〜Ａ４５のいずれかに記載のミッドソールにおいて、約０ｍｍのゼロドロップ高さを含む。
Ｂ１．実施形態Ｂ１に記載のソールアセンブリにおいて、実施形態Ａ１〜Ａ４３のいずれかに記載のミッドソールおよびアウトソール２０を含む。
Ｂ２．実施形態Ｂ１に記載のソールアセンブリにおいて、アウトソール２０は、１つ以上の高摩擦材料のピースを含む。
Ｂ２．実施形態Ｂ１に記載のソールアセンブリにおいて、アウトソール２０は、１つ以上のゴムピースを含む。
Ｂ３．実施形態Ｂ１に記載のソールアセンブリにおいて、アウトソール２０は、滑り摩擦の向上のための溝、サイプまたは他のフィーチャを含む。
Ｂ４．実施形態Ｂ１〜Ｂ３のいずれかに記載のソールアセンブリにおいて、インソールを含む。
Ｂ５．実施形態Ｂ４に記載のソールアセンブリにおいて、インソールは、フォーム材料を含む。
Ｃ１．上側４０に動作可能に接続された実施形態Ｂ１〜Ｂ５に記載のソールアセンブリを含む、フットウェア用品。
Ｃ２．実施形態Ｃ１に記載のフットウェアの用品において、第１のクッション部材１７は、着用者のヒールの支持を提供し得る。
Ｃ３．実施形態Ｃ２に記載のフットウェアの用品において、第１のクッション部材１７ｃは、着用者のヒールのクッション機能を提供しつつ、着用者のアキレス腱を支持できるぐらい充分に押圧される。
Ｃ４．実施形態Ｃ１〜Ｃ３のいずれかに記載のフットウェアの用品において、第２のクッション部材１８は、着用者の足のためのレバーとして機能し得る。
Ｃ５．実施形態Ｃ１〜Ｃ４のいずれかに記載のフットウェアの用品において、クッション部材１８は、クッション部材１９と共に機能して、ランニングまたはウォーキングの爪先離れフェーズにおいてより有利な角度で着用者を前方動きにおいて駆動するバネ効果を生成する。
Ｃ６．実施形態Ｃ１〜Ｃ５のいずれかに記載のフットウェアの用品において、第３のクッション部材１９は、着用者の足の支点として機能し得る。
Ｃ７．実施形態Ｃ１〜Ｃ６のいずれかに記載のフットウェアの用品において、ミッドソールの前方部分は、概ね前方に減少する厚さの前部を構成し、フットウェアの前方終端へ向かって弧状に集合的にテーパー形状となる。
Ｃ８．実施形態Ｃ１〜Ｃ７のいずれかに記載のフットウェアの用品において、靴、サンダルまたはブーツを含む。
Ｃ９．実施形態Ｃ１〜Ｃ８のいずれかに記載のフットウェアの用品において、側壁安定性を増加させる構造を含む。
Ｃ１０．実施形態Ｃ９に記載のフットウェアの用品において、構造は、側壁ストリップを含む。
Ｃ１１．実施形態Ｃ１〜Ｃ１０のいずれかに記載のフットウェアの用品において、着用者の足１１を受容する孔を規定する１つ以上の相互接続されたパネルを含む。
Ｃ１２．実施形態Ｃ１〜Ｃ１１のいずれかに記載のフットウェアの用品において、ヒールは、角縁部を含む。
Ｃ１３．実施形態Ｃ１〜Ｃ１１のいずれかに記載のフットウェアの用品において、ヒールは、斜角が付けられた縁部を含む。
Ｄ１．実施形態Ａ１〜Ａ４８のいずれかに記載のミッドソールを含むフットウェアインサートにおいて、クッション部材のうち少なくとも２つは、共に接合される。
【００３９】
本明細書中において言及される各特許、特許出願、公開文献および文書は全て、参考のため援用される。上記の特許、特許出願、公開文献および文書が引用された場合、上記のうちいずれかが関連する従来技術に関連することを認めたことにはならず、これらの公開文献または文書の内容または日付を示すものではない。そのような引用は、関連開示のサーチを示さない。これらの文書の日付（単数または複数）または内容についての言及内容は全て、利用可能な情報に基づいており、その精度または正確さを認めるものではない。
【００４０】
上記において、本技術の基本的局面からの逸脱無く、改変が可能であり得る。本技術について、１つ以上の特定の実施形態を参照しつつ実質的に詳細に述べてきたが、当業者であれば、本明細書中に特定に開示される実施形態において変更が可能であり得、これらの改変および向上が本技術の範囲および意図の範囲内である。
【００４１】
本明細書中に例示的に記載された本技術は、本明細書中に明示的に開示されていない任意の要素（単数または複数）が無い状態で適切に実行され得る。よって、例えば、本明細書中、「含む」、「から本質的になる」および「からなる」のうちいずれかは、その他の２つの用語と同義であり得る。これらの用いられてきた用語および表現は、記載の用語として用いられるものであり、制限的なものとして用いられておらず、このような用語および表現が用いられた場合、図示および記載のフィーチャまたはその一部の任意の均等物を排除せず、特許請求の範囲に記載の本技術の範囲内において、多様な改変が可能である。「ａ」または「ａｎ」という用語は、当該用語が修飾する１つまたは複数の要素を指し得る（例えば、「ａ  ｒｅａｇｅｎｔ」という表現は、要素のうち１つまたは１つよりも多くの要素が記載されていることが文脈から明確でない限り、１つ以上のｒｅａｇｅｎｔを意味し得る）。本明細書中において用いられる「約」という用語は、１０％ｏｆ基礎となるパラメータの１０％以内の値（すなわち、プラスまたはマイナス１０％）を指し、「約」という用語が一連の数値の始めにおいて用いられ、これらの数値それぞれを修飾する場合（すなわち、「約１、２および３」は、約１、約２〜約３を指す）。例えば、「約１００グラム」の重量は、９０グラム〜１１０グラムの重量を含み得る。さらに、本明細書中において数値のリストが記載される（例えば、約５０％、６０％、７０％、８０％、８５％または８６％）場合、当該リストは、全ての中間数値およびその小数値（例えば、５４％、８５。４％）を含む。よって、本技術について、代表的な実施形態および任意選択的な特徴によって具体的に開示してきたが、当業者にとって、本明細書中に開示される概念の改変および変更が可能であり得、このような改変および変更は、本技術の範囲内のものである。
【００４２】
本技術の特定の実施形態について、以下の特許請求の範囲（単数または複数）において記載する。
【００４３】
上記の開示は、本発明の当業者による理解のみを意図しており、制限的なものではない。開示の実施形態に対し、多様な改変が本発明の範囲から逸脱することなく可能であることが理解されるべきである。よって、本発明の範囲は、添付する特許請求の範囲の参照のみによって解釈されるべきである。
【図１】
2018525112.tif 000003
【図２】
2018525112.tif 000004
【国際調査報告】
2018525112.tif 000005